【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  視聴者情報などのデータをデータ放送コンテンツに基づいて第１，第２の配信元が共通に用いることができる不揮発性記憶領域と、
前記不揮発性記憶領域に対して書き込むべき第１の配信元以外の配信元の成りすましなどのデータ不正書込みを排除し、かつ、あるいはまた、読出しが許諾された第２の配信元だけのデータ読出しを保証して、安全に第１，第２の配信元間でのデータの共有を可能とする手段と、
を具備したことを特徴とするデータ放送受信装置。
【請求項２】  第１，第２の配信元が共通に用いるデータを書き込む記憶手段であって、第１，第２の配信元間で共用する第１の情報と書込み配信元を特定する第２の情報と読出しを許諾する配信元を特定する第３の情報とをそれぞれ記憶する記憶手段と、
前記第１の情報、前記第１の配信元のデータ放送から取得される前記第２の情報、前記第１の配信元のデータ放送コンテンツで指定される前記第３の情報を、前記記憶手段に書き込む手段と、
前記第２の配信元のデータ放送から取得される第２の配信元を特定する第３の情報と前記記憶手段に書き込まれている前記第３の情報との一致を確認し、この確認が取れた場合は、前記記憶手段に書き込まれている前記第１の情報を有効なものとして読み出す手段と、
を具備したことを特徴とするデータ放送受信装置。
【請求項３】  第１，第２の配信元が共通に用いるデータを書き込む記憶手段であって、第１，第２の配信元間で共用する第１の情報と書込み配信元を特定する第２の情報と読出しを許諾する配信元を特定する第３の情報とをそれぞれ記憶する記憶手段と、
前記第１の情報、前記第１の配信元のデータ放送から取得される前記第２の情報、前記第１の配信元のデータ放送コンテンツで指定される前記第３の情報を、前記記憶手段に書き込む手段と、
前記第２の配信元のデータ放送から取得される第２の配信元を特定する第３の情報と前記記憶手段に書き込まれている前記第３の情報との一致及び、前記第２の配信元のデータ放送コンテンツで指定される第２の情報と前記記憶手段に書き込まれている前記第２の情報との一致を確認し、これらの確認が取れた場合は、前記記憶手段に書き込まれている前記第１の情報を有効なものとして読み出す手段と、
を具備したことを特徴とするデータ放送受信装置。
【請求項４】  第１，第２の各配信元毎の専用の記憶領域を有し、各配信元のデータ放送コンテンツから取得される第１，第２の配信元間で共用する第１の情報を各配信元専用の記憶領域に格納する第１の記憶手段と、
第１，第２の配信元が共通に用いるデータを書き込む記憶手段であって、第１，第２の配信元間で共用する前記第１の情報と書込み配信元を特定する第２の情報と読出しを許諾する配信元を特定する第３の情報とをそれぞれ記憶する第２の記憶手段と、
前記第１の記憶手段の第１の配信元専用の記憶領域からの前記第１の情報、前記第１の配信元のデータ放送から取得される前記第２の情報、前記第１の配信元のデータ放送コンテンツで指定される前記第３の情報を、前記第２の記憶手段に書き込む手段と、
前記第２の配信元のデータ放送から取得される第２の配信元を特定する第３の情報と前記第２の記憶手段に書き込まれている前記第３の情報との一致を確認し、この確認が取れた場合は、前記第２の記憶手段に書き込まれている前記第１の情報を有効なものとして読出し前記第１の記憶手段の第２の配信元専用の記憶領域に送出する手段と、
を具備したことを特徴とするデータ放送受信装置。
【請求項５】  第１，第２の各配信元毎の専用の記憶領域を有し、各配信元のデータ放送コンテンツから取得される第１，第２の配信元間で共用する第１の情報を各配信元専用の記憶領域に格納する第１の記憶手段と、
第１，第２の配信元が共通に用いるデータを書き込む記憶手段であって、第１，第２の配信元間で共用する前記第１の情報と書込み配信元を特定する第２の情報と読出しを許諾する配信元を特定する第３の情報とをそれぞれ記憶する第２の記憶手段と、
前記第１の記憶手段の第１の配信元専用の記憶領域からの前記第１の情報、前記第１の配信元のデータ放送から取得される前記第２の情報、前記第１の配信元のデータ放送コンテンツで指定される前記第３の情報を、前記第２の記憶手段に書き込む手段と、
前記第２の配信元のデータ放送から取得される第２の配信元を特定する第３の情報と前記第２の記憶手段に書き込まれている前記第３の情報との一致及び、前記第２の配信元のデータ放送コンテンツで指定される第２の情報と前記第２の記憶手段に書き込まれている前記第２の情報との一致を確認し、これらの確認が取れた場合は、前記第２の記憶手段に書き込まれている前記第１の情報を有効なものとして読出し前記第１の記憶手段の第２の配信元専用の記憶領域に送出する手段と、
を具備したことを特徴とするデータ放送受信装置。
【請求項６】  前記第１の情報、前記第２の情報及び前記第３の情報は、共用の前記記憶手段のそれぞれ定められた領域に記憶されることを特徴とする請求項２〜５のいずれか１つに記載のデータ放送受信装置。
【請求項７】  第１の配信元に対応するデータ放送送信装置であって、受信側に設けた第１，第２の配信元間で共用する記憶手段へのデータを書き込むために、第１，第２の配信元間で共用する第１の情報とデータ読出しを許諾する第２の配信元を指定する第３の情報とを含んだデータ書込み関数を送出する第１のデータ放送送信装置と、
第２の配信元に対応するデータ放送送信装置であって、受信側に設けた前記記憶手段からデータを読み出すために、実行結果として第１の情報と第２の情報をデータ放送コンテンツに引き渡すデータ読出し関数を送出する第２のデータ放送送信装置と、
を具備したことを特徴とするデータ放送送信システム。
【請求項８】  第１の配信元に対応するデータ放送送信装置であって、受信側に設けた第１，第２の配信元間で共用する記憶手段へのデータを書き込むために、第１，第２の配信元間で共用する第１の情報とデータ読出しを許諾する第２の配信元を指定する第３の情報とを含んだデータ書込み関数を送出する第１のデータ放送送信装置と、
第２の配信元に対応するデータ放送送信装置であって、受信側に設けた前記記憶手段からデータを読み出すために、書き込み配信元を指定する第２の情報を含んだデータ読出し関数を送出する第２のデータ放送送信装置と、
を具備したことを特徴とするデータ放送送信システム。
【請求項９】  第１の配信元に対応するデータ放送送信装置であって、受信側に設けた各配信元専用の第１の記憶手段へデータを書き込むために、第１，第２の配信元間で共用する第１の情報を含んだ第１のデータ書込み関数を送出する一方、受信側に設けた第１，第２の配信元間で共用する第２の記憶手段へデータを書き込むために、前記第１の情報とデータ読出しを許諾する第２の配信元を指定する第３の情報とを含んだ第２のデータ書込み関数を送出する第１のデータ放送送信装置と、
第２の配信元に対応するデータ放送送信装置であって、受信側に設けた前記各配信元専用の前記第１の記憶手段からデータを読み出すために、実行結果として第１の情報を前記第２の記憶手段の該当記憶領域に引き渡す第１のデータ読出し関数を送出し、受信側に設けた前記第２の記憶手段からデータを読み出すために、実行結果として第１の情報と第２の情報をデータ放送コンテンツに引き渡すデータ読出し関数を送出する第２のデータ読出し関数を送出する第２のデータ放送送信装置と、
を具備したことを特徴とするデータ放送送信システム。
【請求項１０】  第１の配信元に対応するデータ放送送信装置であって、受信側に設けた各配信元専用の第１の記憶手段へデータを書き込むために、第１，第２の配信元間で共用する第１の情報を含んだ第１のデータ書込み関数を送出する一方、受信側に設けた第１，第２の配信元間で共用する第２の記憶手段へデータを書き込むために、前記第１の情報とデータ読出しを許諾する第２の配信元を指定する第３の情報とを含んだ第２のデータ書込み関数を送出する第１のデータ放送送信装置と、
第２の配信元に対応するデータ放送送信装置であって、受信側に設けた前記各配信元専用の前記第１の記憶手段からデータを読み出すために、実行結果として第１の情報を前記第２の記憶手段の該当記憶領域に引き渡す第１のデータ読出し関数を送出し、受信側に設けた前記第２の記憶手段からデータを読み出すために、書き込み配信元を指定する第２の情報を含んだ第２のデータ読出し関数を送出する第２のデータ放送送信装置と、
を具備したことを特徴とするデータ放送送信システム。
【請求項１１】  配信元を特定する第２，第３の情報として、下記の信号の１つ以上を含んだ情報を用いることを特徴とする請求項２〜６のいずれか１つに記載のデータ放送受信装置。
network_id：        衛星、地上、ケーブルなどネットワークの識別に用いる。
bouquet_id：      ネットワークなどを跨いでの放送事業者の識別に用いる。
broadcaster_id：  ブロードキャスタ（放送事業者、放送局）の識別に用いる。
service_id：        サービス（チャンネル）の識別に用いる。
event_id：          番組の識別に用いる。
【請求項１２】  前記第２の情報は、受信機の固定的な機能として、現在の受信状態から取得された情報が書き込まれることを特徴とする請求項２〜６，１１のいずれか１つに記載のデータ放送受信装置。
【請求項１３】  前記第３の情報は、受信機の固定的な機能として、現在の受信状態から取得された情報と、共用の記憶手段から読み出された情報を比較し、第１の情報の読出し可否の判定を行うようになされたことを特徴とする請求項２〜６，１１のいずれか１つに記載のデータ放送受信装置。